(57)【要約】【課題】ディスク装置に組み込まれたガイドレールに沿ってスライドするトレーであって、該トレーが完全に突出しない状態でディスクの出し入れを容易に行なうことが出来るディスク装置のトレー形態の提供。【解決手段】ディスク９がセットされるトレー１の載置面後方端には奥側を低くした傾斜面８をもつ傾斜部１３を設けている。従って、ディスク９の中央穴に人差し指等を挿入すると共に、外周に親指を当てて２本の指にて摘んだ状態でディスク先端側を低く傾斜することで、キャビネット入口１１のコーナーに当ることなくトレー１の載置面５にセットすることが出来る。【選択図】        図３
2004296044.tif 000002
【特許請求の範囲】
【請求項１】
ディスク装置に組込まれたガイドレールに沿ってスライドするトレーにおいて、ディスクがセットされるトレーの載置面後方端には奥側を低くした傾斜面をもつ傾斜部を設けたことを特徴とするディスク装置のトレー形態。
【請求項２】
ディスク装置に組込まれたガイドレールに沿ってスライドするトレーにおいて、ディスクがセットされるトレーの載置面後方端には該載置面との間に段差をもった底面を有す凹部を設けたことを特徴とするディスク装置のトレー形態。
【請求項３】
ディスク装置に組込まれたガイドレールに沿ってスライドするトレーにおいて、ディスクがセットされるトレーの載置面後方端には貫通穴を設けたことを特徴とするディスク装置のトレー形態。
【発明の詳細な説明】
【０００１】
【発明の属する技術分野】
本発明はディスクの取付け・取外しを容易に出来るようにしたディスク装置のトレーに関するものである。
【０００２】
【従来の技術】
ディスク装置はＣＤやＤＶＤ等のディスクをターンテーブルに装着した状態で回転しながら、情報の記録・再生が行われる訳で、上記ターンテーブルに装着する方法は色々ある。その代表的な方法は、前進・後退動するトレーに載せて装置本体へ挿入する方法であり、又ディスクを挿入口から一部挿入すると、装置内部に設けていて引き込むことが出来る搬入装置によって、所定の位置まで引き込んでターンテーブルに装着する方法がある。
【０００３】
本発明が対象とするディスク装置は前者のタイプであり、装置にはディスクを出し入れする為のトレーが備わっている。該トレーはディスク装置に設けているガイドレールに沿ってスライドすることが出来るように、モーターで回転する駆動ギアがトレーのラックと噛み合い、ディスクをセットしたり取外す場合には、該トレーが引出されたオープン状態となり、セットされたディスクはトレーが閉じることでディスク装置の内部に収容される。そして、ディスクを再生する時にはトラバースユニットが上昇してトレーに載っているディスクを押上げ、ターンテーブルにクランプした状態でモーターにて高速回転する。
【０００４】
図７は従来のディスク装置を示していて、（ａ）はトレー１が引出されたオープン状態の場合、（ｂ）はトレー１が後退して閉じた場合である。ところで、ディスクをセットする場合、トレー１はオープン状態になるように大きく突出する。すなわち、ディスクを所定の位置にセット出来るようにトレー底面には円形凹部の段差が形成されていて、少なくとも円形凹部が装置本体から外部へ露出するまで突出する。
【０００５】
該ディスクの取付け・取外しを容易にする為に、従来技術として特開平７−２５４１９９号に係る「ディスク装置」が知られている。このディスク装置は「筐体内のディスク装着位置又は筐体外に引出されたディスク交換位置に移動するトレーを、ディスクの一部がトレーからはみ出すように形成している。」
【０００６】
すなわち、ディスクがオープン状態になった時、ディスクの一部がトレーからはみ出すようになる。トレーからはみ出したディスクの周縁部を持ってトレーから取外すことが比較的容易に出来る。しかも、トレー側方の何処からでもディスクを持つことが出来る。この為に、トレーは小型化出来、ひいてはディスク装置全体をコンパクト化することが可能である。しかし、トレー全体をディスク装置から引出す構造である為に、ディスク装置の奥行き寸法を小さくすることは出来ない。
【０００７】
又、トレーが引き出されて開き完了状態での突出量が小さくなるように、該トレーを傾斜して張り出すようにした「ディスク記録再生装置」が知られている（特開平１０−２５５３６４号）。すなわち、キャビネットの前面開口部に、該開口を覆うフロントパネルの下端部を枢支し、トレーは両端部がフロントパネルの自由端とガイド溝に夫々嵌り、フロントパネルの開閉によりトレーはガイド溝に沿って摺動すると共に、フロントパネルの開き完了状態にて、トレーとフロントパネルの嵌合部はガイド溝より下側に位置してキャビネットから露出するように構成している。この装置の構造では、トレーがガイドに沿ってスライドする従来の装置に比較して複雑化すると共に製造コストは高くなる。
【０００８】
一方、実開平４−１２１４８号に係る「ディスクトレイ」はディスクトレイの先端部をヒンジにより接合し、ディスクトレイが引き出されたとき先端部が折れ曲るように構成している。従って、ディスクトレイが引出された時には先端部が折れ曲って下ヘ垂れ下がった状態になる為に、ディスクの外周部はディスクトレイからはみ出すことになり、ディスクを取出す場合、又ディスクを装着する場合にはディスクの外周部を２本の指で摘むことが出来る。しかし、該ディスクトレイの先端部は折れ曲って下方へ垂れ下がる為に、ディスクトレイが後退して閉じる際には垂れ下がっている先端部を持上げなくてはならず、非常に面倒となる。
【０００９】
そして、ディスクを摘んでトレーから出し入れする場合、ディスク外周を２本の指で摘むよりも中央穴に一本の指を差し入れて外周に当てた親指との２本で摘むことが多く、その方がディスクは比較的安定すると共に出し入れし易いといった利点がある。
【００１０】
図８はスライドして引き出される従来のトレーを示し、このトレーにディスクをセットする操作方法を表している。ディスクはその中央穴に人差し指を挿入すると共に親指を外周に当てた２本の指にて摘まれている。そして、トレーは完全に突出した状態でない場合、該トレーにディスクをセットする時にキャビネット入口のコーナーに当たってセットすることが出来ない。
【００１１】
【発明が解決しようとする課題】
このように従来のディスク装置のトレーには上記のごとき問題がある。本発明が解決しようとする課題はこの問題点であり、トレーを完全に突出しない状態でディスクの出し入れを容易に行なうことが出来るディスク装置のトレー形態を提供する。
【００１２】
【課題を解決する為の手段】
本発明に係るディスク装置のトレーは駆動モーターによって回転するピニオンがラックに噛み合うことで該トレーはスライドして出入りすることが出来るように構成され、この構造は従来のトレーと同じである。本発明のトレー形態は該トレーが完全突出しない状態でディスクをセットすることが出来、しかもディスクの中央穴に指を嵌めると共に外周に親指を当てた２本の指にて挟み込んで出し入れ可能とする。すなわち、ディスクを傾斜した状態でセット出来るようなトレー形態である。
【００１３】
トレーは長方形の板状体であり、表面にはトレーに載置されたディスクが位置決めされる為の円形凹部の段差が形成され、そしてトラバースユニットに設けているターンテーブルが嵌ると共に光ピックアップが移動する為の開口が形成されている。本発明では円形凹部の載置面が平面でなく、奥側を傾斜したり、穴を設けたり、凹部を形成している。従って、ディスク先端側を低く傾斜した状態でトレーにセットする際、載置面の奥側が窪んでいることでキャビネットの入口コーナーに接することはない。以下、本発明に係る実施例を図面に基づいて詳細に説明する。
【００１４】
【実施例】
図１はディスク装置を収容したキャビネットのフロントパネルの入口からトレーが一部突出した場合を示しているが、同図の１はトレー、２はフロントパネル、１１はフロントパネルの入口を示し、トレー１はディスク装置の両ガイドレールに沿ってスライドすることが出来る。トレー１の具体的なスライド手段は問わないが、一般的には該トレー１の底にラックを沿設し、該ラックに噛み合って回転するピニオンによってスライドする。
【００１５】
図２は本発明に係るトレー１を示している。トレー１は概略長方形の板状態であり、従来通り上面１７との間に段差を持って円形凹部３が形成され、そして穴４が貫通して設けられている。上記円形凹部３の載置面５にはディスクがセットされ、円形凹部３に嵌ることで正しく位置決めされる。穴４は前記図７に示すようにトレ−１が後退して閉じた場合、トラバースユニット６に取付けられているターンテーブル７が上昇し、光ピックアップが移動する為のもので、載置面５に載っているディスクが持ち上げられてターンテーブルとクランパーによりクランプされる。
【００１６】
そして、該載置面５は同一面でなく、奥側に傾斜した傾斜面８を有す傾斜部１３を形成している。そこで、該トレー１にディスク９をセットする場合を図３に示している。図３は前記図８の場合と比較して示しており、キャビネット１０の入口１１のコーナーにディスク９が接触することはない。ディスク９は中央穴に人差し指を挿入すると共に、外周に親指を当てて２本の指にて摘まれる。その状態で、ディスク９の前方側を低く傾斜してトレー１の載置面５にセットする場合、キャビネット１０のフロントパネル入口から引き出されていないトレー１の後方部分へは傾斜した状態でディスク９は挿入される。すなわち、トレー１は完全なオープン状態ではなく、傾斜部１３を露出しない範囲でディスク９の出し入れが可能となる。
【００１７】
図４は本発明に係る他の実施例であり、基本的な形状は前記図２に示したトレー形態と同じであるが、ディスク９がセットされる載置面５の後方部には傾斜部１３が形成されている。そして、該傾斜部１３の後方端には曲面１２が形成されて立ち上がっている。ディスク９の中央穴に人差し指を挿入すると共に、外周に親指を当てて２本の指にて摘んだ状態で、ディスク９は先端側を低く傾斜してトレー１の載置面５にセットすることが出来る。
【００１８】
図５に示すトレーは上記傾斜部１３に代わって、凹部１４を設けている。該凹部１４の底面１５はディスク９がセットされる載置面５より低くなっている為に、同図に示すようにディスク９の先端側を低く傾斜した状態でトレー１の載置面５にセットすることが出来る。すなわち、ディスク９の先端部は載置面５に接触することなく、且つ入口コーナーに当たらないでセット出来る。
【００１９】
図６に示すトレー１は載置面５の後方に貫通穴１６を設けた場合である。そこで、前記実施例の場合と同じく、ディスク９の中央穴に人差し指を挿入すると共に、外周に親指を当てて２本の指にて摘んだ状態で、ディスク９の先端側を低く傾斜してトレー１の載置面５にセットすることが出来る。
【００２０】
以上述べたように、本発明のトレー形態はディスクが載置される載置面の後方端に傾斜部や貫通穴等を設けたものであり、次のような効果を得ることが出来る。
【００２１】
【発明の効果】
本発明に係るディスク装置のトレーは、ディスクがセットされる載置面の後方端に傾斜部、凹部、又は貫通穴等を形成している。従って、ディスク９の中央穴に人差し指等を挿入すると共に、外周に親指を当てて２本の指にて摘んだ状態で、すなわち最も安定した状態でディスクを摘んで該ディスク先端側を低く傾斜することで、キャビネットの入口コーナーに当たることなくトレーの載置面にセットすることが出来る。
【００２２】
一方、載置面の後方端に傾斜部、凹部、又は貫通穴を設けることで、ディスクの先端側を低く傾斜した状態で載置面にセット出来るが、トレーの突出量（突出長さ）を小さく抑えても、キャビネットのフロントパネル入口のコーナーに接触しない。すなわち、載置面全体がフロントパネル入口から完全に露出したオープン状態でなくても、ディスクを傾斜することでセットが可能となる。
【００２３】
その為に、トレーの奥行き寸法を小さく出来、コンパクトなディスク装置が出来上がり、材料費の削減をもたらす。さらに、トレーの出し入れの為に移動する距離が短くなる為に、ディスクをターンテーブルに装着して再生するまでに要する時間、及びディスクを取出すまでの時間が短縮される。
【図面の簡単な説明】
【図１】トレーの一部がフロントパネルの入口から突出した場合。
【図２】本発明に係るトレー形態。
【図３】本発明のトレー載置面にディスクをセットする場合。
【図４】本発明のトレー載置面にディスクをセットする場合。
【図５】本発明のトレー載置面にディスクをセットする場合。
【図６】本発明のトレー載置面にディスクをセットする場合。
【図７】（ａ）はトレーが突出したディスク装置、（ｂ）はトレーが後退しているディスク装置。
【図８】従来のトレー載置面にディスクをセットする場合。
【符号の説明】
１  トレー
２  フロントパネル
３  円形凹部
４  穴
５  載置面
６  トラバースユニット
７  ターンテーブル
８  傾斜面
９  ディスク
１０  キャビネット
１１  入口
１２  曲面
１３  傾斜部
１４  凹部
１５  底面
１６  貫通穴
１７  上面
【図１】
2004296044.tif 000003
【図２】
2004296044.tif 000004
【図３】
2004296044.tif 000005
【図４】
2004296044.tif 000006
【図５】
2004296044.tif 000007
【図６】
2004296044.tif 000008
【図７】
2004296044.tif 000009
【図８】
2004296044.tif 000010